(57)【要約】【課題】従来器具と同程度の大きさ、同程度のワット数の光源で効率良くほぼ水平方向に配光制御することができ、防犯上安全な照度レベルを満足することができる照明装置を提供する。【解決手段】長手方向のある光源１と、この光源１に向かって凸部２を有する側面反射鏡３と、光源１の上部に配置されて略水平方向に配光する上部反射鏡４とを備えてなる照明装置において、光源１の長手方向の中心軸上５に、側面反射鏡３の凸部２が位置する。側面反射鏡３は曲面形状または平板である。光源１に向けて凸部２を有する側面反射鏡３を光源１の側面に配置して光を遠くへ飛ばすことにより、防犯上安全な照度レベルを満足する防犯灯を提供することができる。【選択図】　図１
2004063175.tif 000002
【特許請求の範囲】
【請求項１】
長手方向のある光源と、この光源に向かって凸部を有する側面反射鏡と、前記光源の上部および下部の少なくとも一方に配置されて略水平方向に配光する配光制御部材とを備えてなる照明装置において、前記光源の長手方向の中心軸上に、前記側面反射鏡の凸部が位置することを特徴とする照明装置。
【請求項２】
前記側面反射鏡は曲面形状である請求項１記載の照明装置。
【請求項３】
前記側面反射鏡は平板である請求項１記載の照明装置。
【発明の詳細な説明】
【０００１】
【発明の属する技術分野】
この発明は、水平面照度および鉛直面照度において、高照度を実現することができる防犯照明器具等に適用される照明装置に関するものである。
【０００２】
【従来の技術】
図８に示すように、防犯照明器具において、防犯上の照明効果として４ｍ先の歩行者の挙動・姿勢が分ることが望ましく、これを満足するための照度基準として、路面１０５上の水平面平均照度は３（ｌｘ）以上であり、高さ１．５ｍでの鉛直面最低照度は０．５（ｌｘ）以上であることが望ましい。
【０００３】
また防犯照明器具はコストを抑えるために既設の電柱１０４に取り付けることが多い。電柱１０４の間隔は概ね４０ｍ程度であり、器具直下の鉛直面照度は、その器具の影響を受けずに、４０ｍ隣の器具の光度によって決まる。
【０００４】
器具設置間隔が４０ｍで設置高さが４．５ｍの場合、隣の器具直下１．５ｍ地点の鉛直面照度に影響を及ぼす光度は器具直下からθ＝８５°の略水平方向の光であり、照度は距離の２乗に反比例して減衰するので、４０ｍ間隔で器具を設置する場合、上記照度基準を満足することは困難である。
【０００５】
【発明が解決しようとする課題】
図９（ａ）に示すように道路灯や防犯灯において従来から一般的にバットウイング配光を実現する照明装置は、ランプ１００に向かって凹状の反射鏡（クロス配光）１０１を用いたものである。通常防犯灯として用いられているＷ（ワット）数の光源では、直接光Ｌだけでは目標値の達成は困難である。それを補うために図９（ｂ）に示すように反射鏡１０２を用いるが、ほぼ水平方向に配光制御するためには、従来の反射鏡形状では、反射光Ｌａのみとなり直接光Ｌの利用ができなくなる。また、従来の反射鏡の形状ではランプ１００から出射される光束の一部しか利用できず、特にランプ１００の上部への光束が利用できないため非常に効率が悪い。
【０００６】
さらに図９（ｃ）に示すように直接光Ｌおよび反射光Ｌａを共に利用するためには、ランプ１００と反射鏡１０１、１０２の距離が長い器具が必要になる。
【０００７】
また高出力の光源を用いれば、従来の反射鏡で目標達成可能であるが、省エネルギを考慮してできるだけ低Ｗ数の光源を用い事が望ましい。
【０００８】
したがって、この発明の目的は、従来器具と同程度の大きさ、同程度のＷ数の光源で効率良くほぼ水平方向に配光制御することができ、防犯上安全な照度レベルを満足することができる照明装置を提供することである。
【０００９】
【課題を解決するための手段】
請求項１記載の照明装置は、長手方向のある光源と、この光源に向かって凸部を有する側面反射鏡と、前記光源の上部および下部の少なくとも一方に配置されて略水平方向に配光する配光制御部材とを備えてなる照明装置において、前記光源の長手方向の中心軸上に、前記側面反射鏡の凸部が位置することを特徴とするものである。
【００１０】
請求項１記載の照明装置によれば、光源に向けて凸部を有する側面反射鏡を光源の側面に配置して光を遠くへ飛ばすことにより、従来器具と同程度の大きさ、同程度のＷ数の光源で効率良くほぼ水平方向に配光制御することができ、これにより目標値を達成し、防犯上安全な照度レベルを満足する防犯灯を提供することができる。
【００１１】
請求項２記載の照明装置は、請求項１において、前記側面反射鏡が曲面形状である。
【００１２】
請求項２記載の照明装置によれば、請求項１と同様な効果がある。
【００１３】
請求項３記載の照明装置は、請求項１において、前記側面反射鏡が平板である。
【００１４】
請求項３記載の照明装置によれば、請求項１と同様な効果がある。
【００１５】
【発明の実施の形態】
この発明の第１の実施の形態を図１および図２により説明する。すなわち、この照明装置は、長手方向のある光源１と、光源１に向かって凸部２を有する側面反射鏡３と、配光制御部材４とを備える。
【００１６】
光源１は長手方向のあるもので、例えば直管蛍光ランプ、ツインランプ、セラメタランプなどの円筒状ないし棒状のランプなどを用い、図では長手方向が略水平姿勢になっている。
【００１７】
側面反射鏡３は光源１の長手方向の中心軸５上に凸部２が位置し、実施の形態では光源１の一端に配置されている。全体形状は蝶羽状をなし、その中心の屈曲線を垂直下方に延びた筋条の凸部２とし、各羽部分は光源１に向けて凹状の曲面をなしている。曲面の形状は光源１の中心あるいは光源１の中心軸上の点を焦点とした放物面であるかまたは各々の点を焦点とした小さい放物面を組合せた多面体である。凸形状の側面反射鏡３に曲面形状を用いることで、光源１の中心軸５を含む垂直面に沿う光束を略水平方向に反射する、すなわち上記したθ＝略８５°方向に配光制御する。
【００１８】
配光制御部材４は略水平方向、上記したθ＝略８５°方向に配光するものであり、実施の形態では光源１の上部に位置する上部反射鏡を用いている。上部反射鏡は平板の中心を屈曲線４ａに沿って略くの字形に折曲し、その凸面側を光源１に向け、屈曲線４ａを光源１の中心軸５に平行にしている。
【００１９】
図２（ａ）は照明装置Ｎによる配光を説明するもので、φ＝０°断面の配光制御は略水平方向例えばθ＝８５°の方向の光度値をアップし、φ＝略４５°〜９０°断面の配光制御はφ＝０°近辺のθ＝８５°方向の光度値をアップし、φ＝９０°断面の配光制御は歩道対面へのグレア光をカットすることを狙いとする。
【００２０】
図２（ｂ）は図２（ｃ）に示す光源１の中心軸５に垂直な断面Ａ方向において、θ＝８５°方向に２００ｃｄ／１０００１ｍ以上の光束を飛ばすようにすることで、推奨照度値を満足することを示す。この場合、直射光Ｌによる照度値１００ｃｄ／１０００ｌｍとすると、直射光以外の光Ｌｂが１００ｃｄ必要である。図２（ｃ）に示すように光源１の中心軸５に平行な断面Ｂ方向近傍の光束を反射鏡３を用いて断面Ａ方向θ＝８５°方向に配光制御する。
【００２１】
上記実施の形態によれば、側面に凸部を有する側面反射鏡３を取り付けて光を遠くへ飛ばすことにより、従来器具と同程度の大きさ、同程度Ｗ数の光源で効率良くほぼ水平方向に配光制御することができ、これにより目標値を達成し、防犯上安全な照度レベルを満足する防犯灯を提供できる。
【００２２】
なお、上部反射鏡も平面に限らず曲面であってもよい。また配光制御部材４は反射板に限らず、プリズム、ルーバなどの光学部品を用いることで配光制御を実施することができる。
【００２３】
この発明の第２の実施の形態を図３により説明する。すなわち、第１の実施の形態において、凸部２を有する側面反射鏡３を平面反射鏡としている。図３（ｂ）に示すように、凸形状の側面反射鏡３に平面形状を用いることでθ＝８５°方向に配光制御するものである。平面反射鏡は光源１の中心軸５と側面反射鏡３の凸部２からなる平面Ｐに対して略４５°になるように配置する。
【００２４】
この発明の第３の実施の形態を図４により説明する。すなわち、第１の実施の形態において、配光制御部材４は上部反射鏡に代えて光源１の下部に配置される下部反射鏡としている。下部反射鏡は上部反射鏡と比較して若干小さいくの字形折曲板であり、その凸面側を光源１　　　に向け屈曲線４ａを光源１の中心軸５に沿わせている。
【００２５】
なお、図４（ａ）は側面反射鏡３が曲面の場合、図４（ｂ）は側面反射鏡３が平面の場合である。第１の実施の形態と同様な効果がある。
【００２６】
この発明の第４の実施の形態を図５により説明する。第１の実施の形態において、θが略８５°方向へ配光制御する側面反射鏡３と、配光制御部材４として上部反射鏡４ｂに加えて第３の実施の形態と同様な下部反射鏡４ｃを組み合わせている。したがって、第１の実施の形態よりも効率がよくなる。
【００２７】
この発明の第５の実施の形態を図６により説明する。第４の実施の形態において、側面反射鏡３に対向する側面反射鏡３ａを光源１の長手方向の反対側に設けている。ただし、この側面反射鏡は平面鏡である。第４の実施の形態よりも効率がよくなる。
【００２８】
この発明の第６の実施の形態を図７により説明する。第５の実施の形態において側面反射鏡３を平面鏡としている。第４の実施の形態よりも効率がよくなる。
【００２９】
【発明の効果】
請求項１記載の照明装置によれば、光源に向けて凸部を有する側面反射鏡を光源の側面に配置して光を遠くへ飛ばすことにより、従来器具と同程度の大きさ、同程度のＷ数の光源で効率良くほぼ水平方向に配光制御することができ、これにより目標値を達成し、防犯上安全な照度レベルを満足する防犯灯を提供することができる。
【００３０】
請求項２記載の照明装置によれば、請求項１と同様な効果がある。
【００３１】
請求項３記載の照明装置によれば、請求項１と同様な効果がある。
【図面の簡単な説明】
【図１】この発明の第１の実施の形態の概略を示す斜視図である。
【図２】照明装置の配光を説明する説明図である。
【図３】第２の実施の形態の概略を示す斜視図である。
【図４】第３の実施の形態の概略を示す斜視図である。
【図５】第４の実施の形態の概略を示す斜視図である。
【図６】第５の実施の形態の概略を示す斜視図である。
【図７】第６の実施の形態の概略を示す斜視図である。
【図８】鉛直面および水平面の照度を説明する説明図である。
【図９】従来の照明装置の直接光および反射光を示す説明する概略断面図である。
【符号の説明】
１　　光源
２　　凸部
３　　側面反射鏡
４　　配光制御部材
５　　中心軸
【図１】
2004063175.tif 000003
【図２】
2004063175.tif 000004
【図３】
2004063175.tif 000005
【図４】
2004063175.tif 000006
【図５】
2004063175.tif 000007
【図６】
2004063175.tif 000008
【図７】
2004063175.tif 000009
【図８】
2004063175.tif 000010
【図９】
2004063175.tif 000011